(57)【要約】【課題】開放的な露天風呂気分の入浴及びプライバシを確保した入浴を両立し、冬季における浴室の温度低下を従来の浴室と同程度にでき、一般的な家屋の浴室に使用しても施工日程が短く、開閉壁を開閉することなく浴室の採光及び通気ができる浴室外壁開閉ユニットと、浴室外壁開閉ユニットを使用し、浴室に対し、開閉壁が開放される方向に隣接する部屋の採光もできる家屋とを提供する。【解決手段】浴室１０の外壁を構成すべき横方向移動が可能な開閉壁１  と、開閉壁１  が嵌め込まれ、開閉壁１  の横方向移動を案内する枠体５  と、枠体５  に配設され、開閉壁１  を横方向移動するように駆動する駆動部と、駆動部の動作を操作する操作部２２，２２とを備え、開閉壁１  が開放したとき、浴室１０に隣接する部屋１１の外壁に設けられた窓に対向するように開閉壁１  に窓６  を備えるようにした。【選択図】        図１
2004162332.tif 000002
【特許請求の範囲】
【請求項１】
浴室の外壁を構成すべき横方向移動が可能な開閉壁と、該開閉壁が嵌め込まれ、前記開閉壁の横方向移動を案内する枠体と、該枠体に配設され、前記開閉壁を横方向移動するように駆動する駆動部と、該駆動部の動作を操作する操作部とを備えることを特徴とする浴室外壁開閉ユニット。
【請求項２】
前記開閉壁は、開閉することが可能な窓を備えることを特徴とする請求項１に記載の浴室外壁開閉ユニット。
【請求項３】
浴室と、該浴室の外壁に設けられた開口部を前記開閉壁により閉鎖するように取り付けられた請求項２に記載の浴室外壁開閉ユニットと、前記浴室に対し、前記開閉壁が開放される方向に隣接する部屋とを備え、前記開閉壁が開放されたとき、前記部屋の前記開閉壁側の外壁に設けられた窓に対向するように、前記開閉壁が備える窓を配設したことを特徴とする家屋。
【発明の詳細な説明】
【０００１】
【発明の属する技術分野】
本発明は、浴室の外壁を開閉させる浴室外壁開閉ユニット及び該浴室外壁開閉ユニットを使用する家屋に関する。
【０００２】
【従来の技術】
一般的な家屋の浴室は、入浴する人のプライバシを確保するため、見通せないガラスを使用した小形の窓を採用することが多い。また、浴室は、他の居住空間に対して専有面積が狭く、前述した小形の窓と相俟って閉鎖的な空間となっている。このような一般的な家屋の浴室における入浴は、温泉の露天風呂等における入浴に対して入浴時の開放感が低い。
【０００３】
この閉鎖的な浴室に開放感を持たせる手法として、見通せるガラスを使用した大形の窓を採用することが上げられる。この大形の窓を開閉することが可能に構成すれば、窓を開放することにより、風及び外部の音等が浴室内に侵入し、さらに開放感を向上させる。
【０００４】
建造物の壁面を開閉するものとして、建造物に設けられた開口部に配設された、引戸式の開閉壁体、及び該開閉壁体の移動方向に略直交する方向に移動する可動壁体と、前記開閉壁体を開閉させる第１駆動手段と、前記可動壁体を移動させる第２駆動手段とを備え、前記開口部を前記開閉壁体及び可動壁体により面一に閉鎖し、前記開閉壁体及び可動壁体を重り合うようにして前記開口部の一部を開放する壁体移動装置が開示されている（特許文献１参照）。
【０００５】
このような壁体移動装置は、工業製品を製造する製造工場、又は倉庫等の建造物において実施されることが多く、製品、部品又は保管物等を運搬する車両等が通過できるように壁面を大きく開放するために用いられている。
【０００６】
【特許文献１】
特開平１０−１３１５９６号公報
【０００７】
【発明が解決しようとする課題】
前述したように、見通せるガラスを使用した大形の窓を浴室に採用した場合は、プライバシを確保した入浴が行い難いという問題があった。
【０００８】
また、大形の窓を採用した場合、窓の面積が広いために浴室の断熱効果が弱く、冬季等の屋外の気温が低いときには、浴室内の温度低下及び浴槽の湯温低下が大きいという問題もあった。
【０００９】
前述の壁体移動装置においては、開閉壁体、可動壁体、第１駆動手段及び第２駆動手段を備えることにより開口部を面一に閉鎖することができるが、一般的な家屋の浴室に使用するには、装置が大掛かりであり、長い施工日程を必要とするという問題があった。
【００１０】
本発明は斯かる事情に鑑みてなされたものであり、開閉壁を開放することにより開放的な露天風呂気分を満喫できる入浴ができ、前記開閉壁を閉鎖することによりプライバシを確保した入浴ができると共に、冬季等における浴室内の温度低下等を従来の浴室と同程度にでき、一般的な家屋の浴室に使用しても大掛かりとならず、施工日程が短い浴室外壁開閉ユニットを提供することを目的とする。
【００１１】
また、本発明は、開閉壁に開閉することが可能な窓を設けることにより、開閉壁自体を開閉することなく浴室の採光及び通気が可能な浴室外壁開閉ユニットを提供することを目的とする。
【００１２】
さらに、本発明は、浴室外壁開閉ユニットを使用し、開閉壁に設けた窓を適宜の位置に配設することにより、浴室に対し、開閉壁が開放する方向に隣接する部屋の採光を開閉壁が開放された状態においても確保できる家屋を提供することを目的とする。
【００１３】
【課題を解決するための手段】
第１発明に係る浴室外壁開閉ユニットは、浴室の外壁を構成すべき横方向移動が可能な開閉壁と、該開閉壁が嵌め込まれ、前記開閉壁の横方向移動を案内する枠体と、該枠体に配設され、前記開閉壁を横方向移動するように駆動する駆動部と、該駆動部の動作を操作する操作部とを備えることを特徴とする。
【００１４】
第１発明においては、浴室の外壁を構成すべき横方向移動が可能な開閉壁と、開閉壁が嵌め込まれ、開閉壁の横方向移動を案内する枠体と、枠体に配設され、開閉壁を横方向移動するように駆動する駆動部と、駆動部の動作を操作する操作部とを備えることによりユニット化したから、浴室の外壁に設けられた開口部に簡単に取り付けられ、施工日程が短い。取り付けられた本第１発明に係る浴室外壁開閉ユニットの操作部を操作し、開閉壁を開放することにより露天風呂気分の入浴が満喫でき、開閉壁を閉鎖することによりプライバシを確保した入浴ができると共に、冬季等の浴室内の温度低下等も従来の浴室と同程度にできる。
【００１５】
第２発明に係る浴室外壁開閉ユニットは、第１発明における開閉壁に、開閉することが可能な窓を備えることを特徴とする。
【００１６】
第２発明においては、開閉壁に開閉することが可能な窓を備えたから、開閉壁自体を開閉することなく、備えられた窓により浴室の採光及び通気ができる。
【００１７】
第３発明に係る家屋は、浴室と、該浴室の外壁に設けられた開口部を前記開閉壁により閉鎖するように取り付けられた第２発明の浴室外壁開閉ユニットと、前記浴室に対し、前記開閉壁が開放される方向に隣接する部屋とを備え、前記開閉壁が開放されたとき、前記部屋の前記開閉壁側の外壁に設けられた窓に対向するように、前記開閉壁が備える窓を配設したことを特徴とする。
【００１８】
第３発明においては、浴室と、浴室の外壁に設けられた開口部を開閉壁により閉鎖するように取り付けられた浴室外壁開閉ユニットと、浴室に対し、開閉壁が開放される方向に隣接する部屋とを備え、開閉壁が開放されたとき、部屋の開閉壁側の外壁に設けられた窓に対向するように、開閉壁が備える窓を配設したから、開閉壁が開放されたとき、開閉壁が備える窓と部屋の外壁に設けられた窓とが対向する。浴室に隣接する部屋においては、開閉壁が開放された状態であっても、開閉壁が備える窓及び外壁に設けられた窓を介して採光ができる。
【００１９】
【発明の実施の形態】
以下、本発明をその実施の形態を示す図面に基づいて詳述する。
【００２０】
図１は、本発明に係る家屋の要部を示す平面図であり、図２は、浴室の外壁に取り付けられた本発明に係る浴室外壁開閉ユニットの正面図である。
【００２１】
図において５は枠体であり、枠体５は、横方向を長手方向とした矩形に構成されており、開閉することが可能な窓である引き違い窓６と、引き違い窓６の屋外となる側に装着されたアルミニウム製の面格子７とを備える開閉壁１が、横方向移動が可能なように嵌め込まれている。
【００２２】
浴室１０には、浴室１０を形成する外壁の一面を略開口した開口部３０が予め設けてあり、枠体５は、開口部３０を開閉壁１により閉鎖するように取り付けられている。浴室１０は、開閉壁１が全閉位置（図１の状態）から横方向（図１において右側）に移動し、全開位置に到達することにより、開閉壁１によって閉鎖されていた開口部３０が開放されるように構成されており、浴室１０の内部には、開閉壁１を開閉させるための操作部２２，２２が配設されている。前述の引き違い窓６は、開閉壁１が開放されたとき、浴室１０に対し、開閉壁１が全開する方向（以下、単に全開方向という。）に隣接する部屋である脱衣室１１の外壁に設けられた窓である開閉することが可能な上げ下げ窓２７に対向するように配設されている。
【００２３】
図３は、本発明に係る浴室外壁開閉ユニットの横断面図である。
【００２４】
図において２ａは、開閉壁１が全閉する方向に位置し、前述した枠体５を構成している竪枠であり、竪枠２ａには、開閉壁１に対向する面に上下方向に形成された溝が備えられ、この溝の内部には、気密性を保持するためのゴムパッキン１２ａが溝に沿って延設されており、全閉位置にある開閉壁１の端面がゴムパッキン１２ａに当接している。また、全開方向に位置し、枠体５を構成している竪枠２ｂにも、開閉壁１に対向する面に上下方向に形成された溝が備えられ、この溝の内部に気密性を保持するためのゴムパッキン１２ｂが溝に沿って延設されている。竪枠２ａと竪枠２ｂとの間に配設され、枠体５を構成している竪枠２ｃは、開閉壁１に対して浴室１０側に位置しており、この竪枠２ｃの開閉壁１に対向する面には、気密性を保持するためのゴムガスケット１３，１３，１３が上下方向に延設されており、このゴムガスケット１３，１３，１３は、開閉壁１の浴室１０側の面に当接している。
【００２５】
開閉壁１の屋外側の面及び浴室１０側の面は、仕上げパネル１４，１４により構成されており、この仕上げパネル１４，１４の間には、断熱材１５が挟持されている。
【００２６】
図４は、本発明に係る浴室外壁開閉ユニットの縦断面図である。
【００２７】
図において３は、前述した枠体５の横方向上側を構成する無目であり、無目３は、横方向に突出したリブ１８ａを屋外側にして浴室１０及び脱衣室１１の外壁に固定された支持部材１８と、開閉壁１の上端部を包囲する包囲部材２６とにより構成されている。リブ１８ａの上面には、レール１９が延設されており、このレール１９上には、複数の戸車１７，１７，・・・が走行可能に配設されている。この戸車１７，１７，・・・は、上端部にラック９が延設され、開閉壁１を懸吊している吊下部材１６の側面に回動自在に軸支されている。支持部材１８の下端部には、開閉壁１の浴室１０側の面に当接し、気密性を保持するためのゴムガスケット２１ａが開閉壁１の移動方向に延設されている。
【００２８】
枠体５の横方向下側を構成する下枠４は、開閉壁１の移動方向に形成された溝を開閉壁１に対向する面に備えており、この溝には、開閉壁１の下端部に配設され、開閉壁１の横方向移動時の振れを防止するための振れ止め部材２０が遊嵌されている。下枠４の浴室１０側には、上方に向けてリブ４ａが延設されており、このリブ４ａには、開閉壁１の浴室１０側の面に当接し、気密性を保持するためのゴムガスケット２１ｂが開閉壁１の移動方向に延設されている。
【００２９】
図５は、無目３の内部に配設された駆動部を示す模式図である。
【００３０】
前述した無目３内の略中央には、操作部２２，２２の操作によって動作し、開閉壁１を横方向移動するように駆動する駆動力を発生するモータ２３と、モータ２３の回転数を基に開閉壁１を適切に全開又は全閉するようにモータ２３の回動を制御する制御部２４と、モータ２３の出力軸に固着され、前述したラック９に噛合するピニオン２５とにより構成されている駆動部８が配設されている。この駆動部８、操作部２２，２２、開閉壁１及び枠体５等により本発明に係る浴室外壁開閉ユニットが構成されている。
【００３１】
図６は、開閉壁１が全開位置にある状態を示す本発明に係る家屋の要部の平面図であり、図７は、開閉壁１が全開位置にある状態を示す本発明に係る浴室外壁開閉ユニットの正面図である。
【００３２】
以上の構成により、本発明に係る浴室外壁開閉ユニットは、浴室１０内に配設された操作部２２，２２を操作することにより駆動部８を作動させ、開閉壁１を開閉させる。浴室１０の利用者が、開閉壁１を開放するように操作部２２，２２を操作した場合、駆動部８のモータ２３は一方向に回転する。モータ２３の回転は、モータ２３の出力軸に固着されたピニオン２５に伝達され、ピニオン２５を一方向に回転させる。ピニオン２５はラック９に噛合しており、ラック９は吊下部材１６の上端部に延設され、吊下部材１６は、レール１９上に走行可能に配設された戸車１７，１７，・・・を回動自在に軸支すると共に、開閉壁１を懸吊しているから、ピニオン２５の回転は、ラック９との噛合により、開閉壁１の横方向移動に変換される。制御部２４は、モータ２３の回転数を基にして開閉壁１の移動量を検出し、開閉壁１が適切な全開位置に到達したとき、モータ２３の回転を停止させ、開閉壁１の横方向移動を停止させる。
【００３３】
浴室１０の利用者が開閉壁１を閉鎖するように操作部２２，２２を操作した場合、駆動部８のモータ２３は他方向に回転する。モータ２３の回転は、モータ２３の出力軸に固着されたピニオン２５に伝達され、ピニオン２５を他方向に回転させる。ピニオン２５の回転は、前述のように開閉壁１の横方向移動に変換される。制御部２４は、モータ２３の回転数を基にして開閉壁１の移動量を検出し、開閉壁１が適切な全閉位置に到達したとき、モータ２３の回転を停止させ、開閉壁１の横方向移動を停止させる。
【００３４】
本発明に係る浴室外壁開閉ユニットにおいては、浴室１０の外壁を構成すべき横方向移動が可能な開閉壁１と、開閉壁１が嵌め込まれ、開閉壁１の横方向移動を案内する枠体５と、枠体５に配設され、開閉壁１を横方向移動するように駆動する駆動部８と、駆動部８の動作を操作する操作部２２，２２とを備えたから、開閉壁１を開閉することができ、開閉壁１を開放することにより開放的な露天風呂気分の入浴が満喫でき、開閉壁１を閉鎖することによりプライバシを確保した入浴ができる。
【００３５】
図８は、開閉壁１が全開した状態における浴室１０の縦断面図である。
【００３６】
開閉壁１を開放することにより、浴室１０内において、屋外の風及び音を感じることができると共に、青空又は夜空が眺められ、露天風呂気分の入浴を満喫することができるが、木材等により浴室１０の床面と略同じ高さに作製した外床２９と、プライバシを確保するための塀２８とを浴室１０の開口部３０の屋外側に設置することにより、浴室１０内と屋外の外床２９上とを出入りすることができ、より一層、露天風呂気分の入浴を満喫できる。
【００３７】
また、開閉壁１を構成する仕上げパネル１４，１４の間に断熱材１５を挟持し、気密性を保持するためのゴムパッキン１２ａ，１２ｂ及びゴムガスケット１３，２１ａ，２１ｂを備えたから、開閉壁１を閉鎖することにより浴室１０内の温度低下及び浴槽の湯温低下を従来の浴室と同程度にできる。
【００３８】
また、開閉壁１を横方向移動させるだけの構成とし、開閉壁１を枠体５の枠内に嵌め込むことによりユニット化したから、施工は浴室１０の外壁に設けられた開口部３０に取り付けるだけとなり、施工日程が短い。
【００３９】
また、開閉壁１に開閉することが可能な引き違い窓６を備えたから、開閉壁１を開閉することなく浴室１０の採光及び通気ができる。
【００４０】
さらに、本発明に係る家屋においては、浴室１０と、浴室１０の外壁に設けられた開口部３０を開閉壁１により閉鎖するように取り付けられた本発明に係る浴室外壁開閉ユニットと、浴室１０に対し、開閉壁１が開放される方向に隣接する脱衣室１１とを備え、開閉壁１が開放されたとき、脱衣室１１の開閉壁１側の外壁に設けられた上げ下げ窓２７に対向するように、開閉壁１が備える引き違い窓６を配設したから、開閉壁１を開放した状態においても、引き違い窓６及び上げ下げ窓２７を介して脱衣室１１の採光ができ、また、引き違い窓６及び上げ下げ窓２７を開放することにより脱衣室１１の通気もできる。
【００４１】
なお、以上の実施の形態においては、浴室１０の開口部３０を外壁の略一面としたが、開口部３０の開口部分は略一面に限らず、例えば、一面の上半部を開口し、この上半部の開口部に対応させた枠体及び開閉壁により一面の上半部を開閉するようにしてもよい。
【００４２】
また、本発明に係る浴室外壁開閉ユニット及び家屋の実施の形態は、以上のものに限らず、他の様々な形態として実施することが可能である。
【００４３】
【発明の効果】
以上、詳述したように、第１発明に係る浴室外壁開閉ユニットにおいては、浴室の外壁を構成すべき横方向移動が可能な開閉壁と、開閉壁が嵌め込まれ、開閉壁の横方向移動を案内する枠体と、枠体に配設され、開閉壁を横方向移動するように駆動する駆動部と、駆動部の動作を操作する操作部とを備えることによりユニット化したから、浴室の外壁に設けられた開口部に簡単に取り付けられ、施工日程が短い。また、開閉壁を開放することにより露天風呂気分を満喫できる入浴ができ、開閉壁を閉鎖することによりプライバシを確保した入浴ができると共に、冬季等の浴室内の温度低下等も従来の浴室と同程度にできる。
【００４４】
また、第２発明に係る浴室外壁開閉ユニットにおいては、開閉壁に開閉することが可能な窓を備えたから、開閉壁自体を開閉することなく浴室の採光及び通気ができる。
【００４５】
さらに、第３発明に係る家屋においては、浴室と、浴室の外壁に設けられた開口部を開閉壁により閉鎖するように取り付けられた浴室外壁開閉ユニットと、浴室に対し、開閉壁が開放される方向に隣接する部屋とを備え、開閉壁が開放されたとき、前記部屋の開閉壁側の外壁に設けられた窓に対向するように、開閉壁が備える窓を配設したから、開閉壁が開放された状態においても、開閉壁が備える窓と部屋の外壁に設けられた窓とを介して浴室に隣接する部屋の採光ができる等、本発明は優れた効果を奏する。
【図面の簡単な説明】
【図１】本発明に係る家屋の要部を示す平面図である。
【図２】本発明に係る浴室外壁開閉ユニットの正面図である。
【図３】本発明に係る浴室外壁開閉ユニットの横断面図である。
【図４】本発明に係る浴室外壁開閉ユニットの縦断面図である。
【図５】無目の内部に配設された駆動部を示す模式図である。
【図６】本発明に係る家屋の要部を示す平面図である。
【図７】本発明に係る浴室外壁開閉ユニットの正面図である。
【図８】開閉壁が全開した状態における浴室の縦断面図である。
【符号の説明】
１  開閉壁
５  枠体
６  引き違い窓（開閉することが可能な窓）
８  駆動部
１０  浴室
１１  脱衣室（浴室に対し、開閉壁が開放される方向に隣接する部屋）
２２  操作部
２７  上げ下げ窓（部屋の開閉壁側の外壁に設けられた窓）
３０  開口部
【図１】
2004162332.tif 000003
【図２】
2004162332.tif 000004
【図３】
2004162332.tif 000005
【図４】
2004162332.tif 000006
【図５】
2004162332.tif 000007
【図６】
2004162332.tif 000008
【図７】
2004162332.tif 000009
【図８】
2004162332.tif 000010